(57)【要約】【課題】カバー部材、撮影装置本体部のそれぞれに設けられた部品同士を精度良く組み付けるのが難しかった。【解決手段】撮影装置は、カバー部材に形成された所定の開口形状から見える位置で撮影装置本体部に設けられた連結ギアと、支軸を介して連結ギアと連結し、回転操作に伴い連結ギアを回転させる操作ダイヤルと、連結ギアの回転を視度調節用レンズに伝達させて光軸方向に移動させることでファインダ光学系の焦点を変化させるものと、連結ギアと操作ダイヤルとの間で支軸に通された状態でカバー部材の開口形状周辺の取り付けしろに取り付けられている軸受部材であって、操作ダイヤルが持つ突起部と当て付くことにより、操作ダイヤルの回転可能な角度範囲を規制するストッパ部を持つものとを備える。取り付けしろは、支軸の軸線方向と直交する面内における軸受部材の位置ずれを吸収できるように軸受部材の外形よりも広い領域を持つ。【選択図】図７
2015072292.tif 000002
【特許請求の範囲】
【請求項１】
撮影装置の内部機構を覆うカバー部材と、
前記カバー部材に形成された所定の開口形状から見える位置で前記撮影装置本体部に設けられた連結ギアと、
支軸を介して前記連結ギアと連結し、ユーザによる回転操作に伴い該連結ギアを回転させる操作ダイヤルと、
視度調節用レンズを含むファインダ光学系と、
前記連結ギアの回転を前記視度調節用レンズに伝達させて該視度調節用レンズを光軸方向に移動させることにより、前記ファインダ光学系の焦点を変化させる駆動伝達部と、
前記連結ギアと前記操作ダイヤルとの間で前記支軸に通された状態で前記カバー部材の開口形状周辺の取り付けしろに取り付けられている軸受部材であって、該操作ダイヤルが持つ突起部と当て付くことにより、該操作ダイヤルの回転可能な角度範囲を規制するストッパ部を持つものと、
を備え、
前記取り付けしろは、
前記支軸の軸線方向と直交する面内における前記軸受部材の位置ずれを吸収できるように該軸受部材の外形よりも広い領域を持つ、
撮影装置。
【請求項２】
前記軸受部材は、
前記開口形状に差し込まれる差し込み部
を有し、
前記開口形状は、
前記支軸の軸線方向と直交する面内における前記軸受部材の位置ずれを吸収できるように前記差し込み部よりも径が大きい、
請求項１に記載の撮影装置。
【請求項３】
周辺形状に対して一段落とし込まれた凹部の底面が前記取り付けしろである、
請求項１又は請求項２に記載の撮影装置。
【請求項４】
前記連結ギアは、
所定の棒状治具の先端に設けられた先端係合部が係合する第一の係合部
を有し、
前記軸受部材は、
前記棒状治具の側面に設けられた側面係合部が係合する第二の係合部
を有し、
前記支軸の軸線方向と直交する面内における前記軸受部材の取付位置は、
前記第一の係合部が前記先端係合部と係合され且つ前記第二の係合部が前記側面係合部と係合されたときの位置である、
請求項１から請求項３の何れか一項に記載の撮影装置。
【請求項５】
前記第一の係合部及び前記第二の係合部により、前記連結ギアと前記軸受部材との相対的な回転位置が所定の１つの関係に決まる、
請求項４に記載の撮影装置。
【請求項６】
可動レンズを光軸方向に移動させるための連結ギアを含む光学装置が設けられた撮影装置本体部にカバー部材を嵌め込むステップと、
前記撮影装置本体部に嵌め込まれたカバー部材の所定の開口形状を通して連結ギアの係合部に、所定の棒状治具の先端に設けられた先端係合部を係合させるステップと、
前記先端係合部が前記連結ギアの係合部に係合された状態で、操作ダイヤルの回転可能な角度範囲を規制するストッパ部を持つ軸受部材の軸挿通孔を、前記棒状治具の側面に設けられた側面係合部に係合させた上で該軸受部材を該棒状治具に通すステップと、
前記棒状治具に通された軸受部材を前記カバー部材の開口形状周辺の取り付けしろに取り付けるステップと、
前記棒状治具を前記連結ギア及び前記軸受部材から取り外すステップと、
前記操作ダイヤルの支軸を前記軸受部材を通して前記連結ギアと連結させることにより、該操作ダイヤルを、該操作ダイヤルが持つ突起部が前記ストッパ部と当て付くことにより該操作ダイヤルの回転角度範囲を規制することが可能な位置に組み込むステップと、
を含む、
撮影装置の組立方法。
【請求項７】
前記連結ギアは、
回転位置を示す所定の指標を有しており、
前記可動レンズの光軸方向の位置に対応付けて前記指標が所定の回転位置に来るように前記ファインダ装置本体部の軸受に取り付けられる、
請求項６に記載の撮影装置の組立方法。
【請求項８】
装置の内部機構を覆うカバー部材と、
前記カバー部材の内側に配置された連結ギヤと、
前記カバー部材の外側に配置され、前記連結ギヤを回転駆動させるためにユーザに回転操作される操作ダイヤルと、
前記カバー部材とは別体で所定の径の穴を有する軸受部材と、
を備え、
前記連結ギヤと前記操作ダイヤルとは、
前記軸受部材と前記カバー部材を挟んで該軸受部材の穴を通して連結軸で連結され、
前記軸受部材は、
前記カバー部材に対する固定位置が前記連結軸の軸線方向に対して垂直な所定の面範囲内の任意の位置に調節されることを許容する形状を持ち、
前記連結ギヤと前記操作ダイヤルは、
前記連結ギヤと前記操作ダイヤルとの偏芯を吸収する位置に調節され固定された軸受部材の穴を通された連結軸を介して連結される、
回転操作機構。
【請求項９】
前記軸受部材の穴の径と前記連結軸との径は略等しく、
前記カバー部材は、前記連結ギヤと前記軸受部材とで挟まれて位置し、
前記操作ダイヤルと前記軸受部材との間に、前記連結軸の径より大きくかつ該操作ダイヤルより小さな径を有する環状の止水部材が挟まれている、
請求項８に記載の回転操作機構。
【請求項１０】
前記操作ダイヤルは、
前記環状の止水部材を傘状に覆うような状態で前記連結軸を介して前記連結ギヤと連結される、
請求項９に記載の回転操作機構。
【発明の詳細な説明】
【技術分野】
【０００１】
本発明は、撮影装置及び撮影装置の組立方法に関し、特に視度調節可能な撮影装置及び撮影装置の組立方法に関する。
【背景技術】
【０００２】
ユーザの視力に合わせて視度を調節することが可能なファインダ装置を備える撮影装置が知られている。この種の撮影装置の具体的構成は、例えば特許文献１に記載されている。
【０００３】
特許文献１に記載のファインダ装置では、ユーザによる視度調節ダイヤルの操作に伴い視度調節ギアが回転する。視度調節ギアの回転は、視度調節カムギア及び視度調節ピンを介して視度調節用移動レンズに伝達される。これにより、視度調節用移動レンズが光軸方向に移動されて、ファインダ光学系の焦点が変化する（視度が変化する）。
【０００４】
特許文献１に記載の撮影装置は、視度調整ダイヤル及び視度調整ギアが撮影装置の上蓋に、視度調整カムギアが撮影装置本体に、それぞれ設けられており、上蓋を撮影装置本体に組み付けたとき、視度調整ギアと視度調整カムギアとが噛み合う構成となっている。
【先行技術文献】
【特許文献】
【０００５】
【特許文献１】特開２００２−７２２９２号公報
【発明の概要】
【発明が解決しようとする課題】
【０００６】
特許文献１において、視度調整ギアや視度調整カムギア等の部品同士を精確に噛み合わせるためには、上蓋を撮影装置本体に精度良く組み付ける必要がある。しかし、撮影装置本体や上蓋のような大型なパーツ同士を精度良く組み付けるのは製造上容易ではない。
【０００７】
本発明は上記の事情に鑑みてなされたものであり、その目的とするところは、カバー部材を撮影装置本体部に組み付ける構成において、カバー部材、撮影装置本体部のそれぞれに設けられた部品同士を精度良く組み付けるのに好適な撮影装置の組立方法及び該撮影装置を提供することである。
【課題を解決するための手段】
【０００８】
本発明の実施形態に係る撮影装置は、その内部機構を覆うカバー部材と、カバー部材に形成された所定の開口形状から見える位置で撮影装置本体部に設けられた連結ギアと、支軸を介して連結ギアと連結し、ユーザによる回転操作に伴い連結ギアを回転させる操作ダイヤルと、視度調節用レンズを含むファインダ光学系と、連結ギアの回転を視度調節用レンズに伝達させて視度調節用レンズを光軸方向に移動させることにより、ファインダ光学系の焦点を変化させる駆動伝達部と、連結ギアと操作ダイヤルとの間で支軸に通された状態でカバー部材の開口形状周辺の取り付けしろに取り付けられている軸受部材であって、操作ダイヤルが持つ突起部と当て付くことにより、操作ダイヤルの回転可能な角度範囲を規制するストッパ部を持つものとを備える。取り付けしろは、支軸の軸線方向と直交する面内における軸受部材の位置ずれを吸収できるように軸受部材の外形よりも広い領域を持つ。
【０００９】
本実施形態によれば、撮影装置本体部に設けられた連結ギアと、カバー部材に取り付けられた軸受部材は、撮影装置本体部とカバー部材との組立誤差に起因する軸ずれが軸受部材と取り付けしろとの外形の差内で吸収されているため、互いが同軸となる位置に固定されている。このように、本実施形態に係る撮影装置は、カバー部材を撮影装置本体部に組み付ける構成において、カバー部材、撮影装置本体部のそれぞれに設けられた部品同士が精度良く組み付けられる構成となっている。
【００１０】
軸受部材は、開口形状に差し込まれる差し込み部を有する構成としてもよい。この場合、開口形状は、支軸の軸線方向と直交する面内における軸受部材の位置ずれを吸収できるように差し込み部よりも径が大きい。
【００１１】
本実施形態の撮影装置において、例えば、周辺形状に対して一段落とし込まれた凹部の底面が取り付けしろである。
【００１２】
連結ギアは、所定の棒状治具の先端に設けられた先端係合部が係合する第一の係合部を有する構成であってもよい。また、軸受部材は、棒状治具の側面に設けられた側面係合部が係合する第二の係合部を有する構成であってもよい。この場合、支軸の軸線方向と直交する面内における軸受部材の取付位置は、第一の係合部が先端係合部と係合され且つ第二の係合部が側面係合部と係合されたときの位置である。
【００１３】
例えば、第一の係合部及び第二の係合部により、連結ギアと軸受部材との相対的な回転位置が所定の１つの関係に決まる。
【００１４】
本実施形態の撮影装置の組立方法は、可動レンズを光軸方向に移動させるための連結ギアを含む光学装置が設けられた撮影装置本体部にカバー部材を嵌め込むステップと、撮影装置本体部に嵌め込まれたカバー部材の所定の開口形状を通して連結ギアの係合部に、所定の棒状治具の先端に設けられた先端係合部を係合させるステップと、先端係合部が連結ギアの係合部に係合された状態で、操作ダイヤルの回転可能な角度範囲を規制するストッパ部を持つ軸受部材の軸挿通孔を、棒状治具の側面に設けられた側面係合部に係合させた上で軸受部材を棒状治具に通すステップと、棒状治具に通された軸受部材をカバー部材の開口形状周辺の取り付けしろに取り付けるステップと、棒状治具を連結ギア及び軸受部材から取り外すステップと、操作ダイヤルの支軸を軸受部材を通して連結ギアと連結させることにより、操作ダイヤルを、操作ダイヤルが持つ突起部がストッパ部と当て付くことにより操作ダイヤルの回転角度範囲を規制することが可能な位置に組み込むステップとを含む方法である。
【００１５】
連結ギアは、例えば、回転位置を示す所定の指標を有しており、可動レンズの光軸方向の位置に対応付けて指標が所定の回転位置に来るようにファインダ装置本体部の軸受に取り付けられる。
【００１６】
本実施形態の回転操作機構は、装置の内部機構を覆うカバー部材と、カバー部材の内側に配置された連結ギヤと、カバー部材の外側に配置され、連結ギヤを回転駆動させるためにユーザに回転操作される操作ダイヤルと、カバー部材とは別体で所定の径の穴を有する軸受部材とを備える。連結ギヤと操作ダイヤルとは、軸受部材とカバー部材を挟んで軸受部材の穴を通して連結軸で連結される。軸受部材は、カバー部材に対する固定位置が連結軸の軸線方向に対して垂直な所定の面範囲内の任意の位置に調節されることを許容する形状を持つ。連結ギヤと操作ダイヤルは、連結ギヤと操作ダイヤルとの偏芯を吸収する位置に調節され固定された軸受部材の穴を通された連結軸を介して連結される。
【００１７】
例えば、軸受部材の穴の径と連結軸との径は略等しい。カバー部材は、例えば、連結ギヤと軸受部材とで挟まれて位置する。操作ダイヤルと軸受部材との間には、連結軸の径より大きくかつ操作ダイヤルより小さな径を有する環状の止水部材が挟まれていてもよい。
【００１８】
操作ダイヤルは、環状の止水部材を傘状に覆うような状態で連結軸を介して連結ギヤと連結される構成としてもよい。
【発明の効果】
【００１９】
本実施形態によれば、カバー部材、撮影装置本体部のそれぞれに設けられた部品同士を精度良く組み付けるのに好適な撮影装置の組立方法及び該撮影装置が提供される。
【図面の簡単な説明】
【００２０】
【図１】本発明の実施形態の撮影装置の外観を示す背面図である。
【図２】本発明の実施形態の撮影装置に備えられるファインダ装置単体の背面図及び斜視図である。
【図３】本発明の実施形態のファインダ装置単体の斜視図である。
【図４】本発明の実施形態のファインダ装置から調整レンズ及びその周辺の構成を抽出して示す斜視図である。
【図５】本発明の実施形態のファインダ装置に備えられるギア部単体の背面図及び斜視図である。
【図６】本発明の実施形態のギア部の組み付けを説明するための図である。
【図７】本発明の実施形態のファインダ装置の組み付けを説明するための図である。
【図８】本発明の実施形態のファインダ装置を組み付ける際に用いられる棒状治具の正面図及び斜視図である。
【図９】本発明の実施形態のファインダ装置に備えられる軸受ストッパ部単体の背面図及び斜視図である。
【図１０】本発明の実施形態のファインダ装置に備えられる視度調節ダイヤル単体の斜視図である。
【発明を実施するための形態】
【００２１】
以下、本発明の実施形態について図面を参照しながら説明する。なお、以下においては、本発明の一実施形態として、撮影装置（例えばデジタル一眼レフカメラ）について説明する。
【００２２】
図１は、本実施形態の撮影装置１の外観を示す背面図である。図１においては、主に、ファインダ装置１０の周辺を示す。ファインダ装置１０は、カメラ本体部１ａと上カバー１ｂとが規定するスペース内に組み込まれており、一部の構成が撮影装置１の外観（背面側）に現れている。具体的には、図１に示されるように、ファインダ装置１０は、視度調節ダイヤル１０２、接眼レンズ１０４及び接眼レンズ枠１０６が外観に現れている。ユーザは、接眼レンズ１０４を覗きつつ視度調節ダイヤル１０２を操作することにより、ファインダ装置１０の視度を自身に合う視度に調節することができる。
【００２３】
図２（ａ）は、ファインダ装置１０単体の背面図を示し、図２（ｂ）及び図２（ｃ）は、ファインダ装置１０単体の斜視図を示す。図２（ａ）〜図２（ｃ）の各図においては、便宜上、視度調節ダイヤル１０２及び接眼レンズ枠１０６の図示を省略する。
【００２４】
図２に示されるように、ファインダ装置１０は、視度調節ダイヤル１０２、接眼レンズ１０４及び接眼レンズ枠１０６に加えて、ケース１０８、上板１１０、ダイヤルクリック板バネ１１２、一対の止めねじ１１４、対物レンズ１１６、円筒リブカム１１８、伝達ギア１２０、ギア部１２２、レンズガイド軸１２４及びレンズ付勢バネ１２６を備えている。
【００２５】
上板１１０は、止めねじ１１４によってケース１０８に取り付けられることにより、ケース１０８から対物レンズ１１６等の内蔵物が脱落するのを防ぐ。ダイヤルクリック板バネ１１２も止めねじ１１４によってケース１０８に取り付けられる。図３は、止めねじ１１４の各々が弛められて上板１１０及びダイヤルクリック板バネ１１２がケース１０８から取り外されたときのファインダ装置１０単体の斜視図を示す。図３に示されるように、ケース１０８内には、ファインダ光学系を構成する、接眼レンズ１０４、対物レンズ１１６及び調節レンズ１２８が収容されている。
【００２６】
図４に、調整レンズ１２８及びその周辺の斜視図を図３から抽出して示す。図４に示されるように、調節レンズ１２８の側面にガイド部１２８ａが一体に形成されている。ガイド部１２８ａには、ガイド穴１２８ａＡ（図面上不可視）が空けられている。
【００２７】
ガイド穴１２８ａＡにはレンズガイド軸１２４が挿入され通されている。ガイド穴１２８ａＡは、内周面がレンズガイド軸１２４との摺動面となっている。レンズガイド軸１２４は、図３中矢印方向（光軸方向）に延びており、両端がケース１０８に固定されている。
【００２８】
ガイド穴１２８ａＡの内周面とレンズガイド軸１２４との摺動によりガイド部１２８ａがレンズガイド軸１２４沿いに移動すると、ガイド部１２８ａと一体に形成された調節レンズ１２８は、ケース１０８内を光軸方向にスライドする。これに対し、接眼レンズ１０４及び対物レンズ１１６は、ケース１０８内に固定されている。本実施形態では、調節レンズ１２８のみが光軸方向にスライドすることにより、接眼レンズ１０４、対物レンズ１１６及び調節レンズ１２８よりなるファインダ光学系の焦点が変化する（視度が変化する）。
【００２９】
ガイド部１２８ａの先端には、カムフォロア１２８ａＢが形成されている。カムフォロア１２８ａＢは、ケース１０８内に回転可能に支持された円筒リブカム１１８と係合している。円筒リブカム１１８の後端には、伝達ギア１２０が一体に形成されている。
【００３０】
図５（ａ）、図５（ｂ）はそれぞれ、ギア部１２２単体の背面図、斜視図を示す。図５に示されるように、ギア部１２２は、連結ギア１２２ａ、クリック溝円柱１２２ｂ、仕切壁１２２ｃ及び軸部１２２ｄよりなる一体形成品であり、ケース１０８の軸受１０８ａに回転可能に支持されている。
【００３１】
連結ギア１２２ａはインボリュートギアであり、伝達ギア１２０と噛み合う。クリック溝円柱１２２ｂは、円柱部１２２ｂＡの外周面に所定の角度間隔で形成されたクリック溝１２２ｂＢを持つ円柱状部材である。連結ギア１２２ａとクリック溝円柱１２２ｂは、同軸かつ互いに隣接する位置に一体形成されており、連結ギア１２２ａの歯底円直径と円柱部１２２ｂＡの直径とが等しい。
【００３２】
連結ギア１２２ａは、視度調節ダイヤル１０２と連結する（詳しくは後述）。そのため、視度調節ダイヤル１０２が時計回り又は反時計回りに回転操作されると、連結ギア１２２ａも一体となって回転する。連結ギア１２２ａの回転が伝達ギア１２０に伝達されると、円筒リブカム１１８が伝達ギア１２０と一体となって回転する。円筒リブカム１１８の回転動作は、カムフォロア１２８ａＢとの間で光軸方向の直進動作に変換される。そのため、カムフォロア１２８ａＢと一体に形成された調節レンズ１２８は、光軸方向にスライドする。
【００３３】
より詳細には、カムフォロア１２８ａＢは、レンズガイド軸１２４に掛けられたレンズ付勢バネ１２６により背面側（接眼レンズ１０４側）に付勢されている。視度調節ダイヤル１０２が時計回りに回転操作されると、カムフォロア１２８ａＢが円筒リブカム１１８との係合により、レンズ付勢バネ１２６の付勢力に抗して前進する。これにより、カムフォロア１２８ａＢと一体に形成された調節レンズ１２８は、前面側（対物レンズ１１６側）にスライドする。また、視度調節ダイヤル１０２が反時計回りに回転操作されると、カムフォロア１２８ａＢと円筒リブカム１１８との係合位置が後退する。そのため、カムフォロア１２８ａＢは、レンズ付勢バネ１２６の付勢力により後退する。これにより、カムフォロア１２８ａＢと一体に形成された調節レンズ１２８も背面側（接眼レンズ１０４側）にスライドする。視度は、視度調節ダイヤル１０２が時計回りに回転操作されるほどマイナス端側に変化し、視度調節ダイヤル１０２が反時計回りに回転操作されるほどプラス端側に変化する。
【００３４】
上板１１０及びダイヤルクリック板バネ１１２は金属製の板状部材であり、それぞれが止めネジ１１４によってケース１０８に取り付けられている。ダイヤルクリック板バネ１１２は、止めねじ１１４によってケース１０８に取り付けられたとき、図２に示されるように、クリック溝１２２ｂＢに当て付き、クリック溝１２２ｂＢを円柱部１２２ｂＡ側へ付勢する。ダイヤルクリック板バネ１１２は、クリック溝円柱１２２ｂが回転されたときにクリック溝１２２ｂＢを乗り越えることで、ユーザによって視度調節ダイヤル１０２が回転操作された際のクリック感を生じさせる。
【００３５】
クリック溝円柱１２２ｂは、ユーザによる視度調節ダイヤル１０２の回転操作時に連結ギア１２２ａと一体となって回転するが、視度調節ダイヤル１０２の回転操作が行われていないときには、ダイヤルクリック板バネ１１２によりクリック溝１２２ｂＢに軽負荷が掛かる位置で停止する。ここで、クリック溝円柱１２２ｂは、連結ギア１２２ａ、伝達ギア１２０、円筒リブカム１１８、カムフォロア１２８ａＢ及びガイド部１２８ａを介して調節レンズ１２８と連動する。そのため、クリック溝１２２ｂＢに軽負荷が掛かる位置（クリック溝円柱１２２ｂの停止位置）を増やすことにより、調節レンズ１２８の停止位置を増やすことができる。調節レンズ１２８の停止位置を増やすことにより、ファインダ光学系で調節可能な視度の範囲（例えば−３．０Ｄｐｔｒ〜＋１．８Ｄｐｔｒ）を狭めることなく視度の分解能を細かくすることができる。視度の分解能は、視度調節ダイヤル１０２を１クリック分操作したときに変化する視度の値を示し、本実施形態では０．２Ｄｐｔｒ〜０．３Ｄｐｔｒの範囲に設定される。
【００３６】
軽負荷によるクリック溝円柱１２２ｂの停止位置（以下、「クリック停止位置」と記す。）の数は、クリック溝１２２ｂＢの数と一致する。そのため、クリック溝１２２ｂＢを増やすことにより、クリック停止位置が増加する。クリック溝１２２ｂＢを増やす方法として、例えば、クリック溝１２２ｂＢの一つ一つを小さく設計することが考えられる。しかし、クリック溝１２２ｂＢを小さく設計しすぎると、クリック溝円柱１２２ｂの回転を停止させるに足る軽負荷の確保が難しいと共にクリック溝１２２ｂＢの耐久性が低下する。そのため、クリック溝１２２ｂＢを小さく設計するという方法は安易には採用できない。
【００３７】
そこで、本実施形態では、円柱部１２２ｂＡの直径が連結ギア１２２ａの歯底円直径と同一のサイズに設計されている。すなわち、本実施形態では、特許文献１に記載の構成と比べて、クリック溝１２２ｂＢが形成される面（円柱部１２２ｂＡの外周面の長さ）が長く設計されている。これにより、例えば、クリック溝１２２ｂＢのサイズを維持しつつより多くのクリック溝１２２ｂＢを形成することが可能となる。
【００３８】
本実施形態において、連結ギア１２２ａの歯及びクリック溝１２２ｂＢは、連結ギア１２２ａの歯底面上、円柱部１２２ｂＡの外周面上のそれぞれに、同一の数だけ形成されている。また、連結ギア１２２ａの歯及びクリック溝１２２ｂＢは、連結ギア１２２ａの歯底面上、円柱部１２２ｂＡの外周面上のそれぞれに、同位相で（同一の角度間隔でかつ同一の角度位置に）形成されている。
【００３９】
別の実施形態では、クリック溝１２２ｂＢの数は、連結ギア１２２ａの歯数より多くてもよい。また、連結ギア１２２ａの歯とクリック溝１２２ｂＢとの形成位置は、同位相でなくてもよい。
【００４０】
円柱部１２２ｂＡの直径を連結ギア１２２ａの歯底円直径と同一のサイズにしたことで、ダイヤルクリック板バネ１１２による連結ギア１２２ａ側への機械的干渉（ダイヤルクリック板バネ１１２が連結ギア１２２ａ上にずれたり脱落したりすること）が懸念される。そこで、本実施形態では、連結ギア１２２ａとクリック溝円柱１２２ｂとの間に、連結ギア１２２ａとクリック溝円柱１２２ｂとを仕切る仕切壁１２２ｃが形成されている。仕切壁１２２ｃの高さは、クリック溝１２２ｂＢの山の頂点よりも高い。そのため、ダイヤルクリック板バネ１１２は、クリック溝１２２ｂＢ上において連結ギア１２２ａ側へずれると、ダイヤルクリック板バネ１１２の側面が仕切壁１２２ｃに当たり、連結ギア１２２ａ上への移動が規制される。
【００４１】
図６（ａ）及び図６（ｂ）は、ギア部１２２の組み付けを説明するための図である。図６（ａ）に示されるように、ギア部１２２は、軸部１２２ｄが背面側（接眼レンズ１０４側）からケース１０８の軸受１０８ａに組み付けられる。ここで、本実施形態では、限られたスペース内で調節レンズ１２８のスライド量を確保するため、円筒リブカム１１８の後端を上カバー１ｂの内壁面に近い側まで延ばすことにより、円筒リブカム１１８のガイド長を長く設計している。一方、ダイヤルクリック板バネ１１２は、ファインダ装置１０の小型化のため、円筒リブカム１１８の後端を上カバー１ｂの内壁面に近い側まで延ばすことにより生じた円筒リブカム１１８上方の空きスペースに設置される。そのため、ギア部１２２は、クリック溝円柱１２２ｂがダイヤルクリック板バネ１１２の設置スペース下方に配置されるように、軸部１２２ｄが背面側（接眼レンズ１０４側）から軸受１０８ａに向けて差し込まれ、仕切壁１２２ｃが伝達ギア１２０を乗り越える位置まで組み付けられる（図６（ｂ）参照）。
【００４２】
しかし、図５（ａ）に示されるように、仕切壁１２２ｃは、高さが連結ギア１２２ａの歯よりも高い。そのため、仕切壁１２２ｃと伝達ギア１２０とが機械的に干渉し、仕切壁１２２ｃが伝達ギア１２０を乗り越えられないという不都合が懸念される。
【００４３】
そこで、本実施形態において、仕切壁１２２ｃは、連結ギア１２２ａ及びクリック溝円柱１２２ｂの全周には亘っておらず、一部が切り欠かれた形状となっている。具体的には、図５（ａ）に示されるように、仕切壁１２２ｃは、切り欠き１２２ｃＡを有している。切り欠き１２２ｃＡが形成されている角度範囲に対応する円柱部１２２ｂＡの外周面上の角度範囲（以下、「切り欠き対応範囲」と記す。）には、クリック溝１２２ｂＢが形成されていない、又はクリック溝１２２ｂＢに代えて連結ギア１２２ａと同一のダミー形状が形成されている。なお、何れの場合も、切り欠き対応範囲以外の角度範囲には、クリック溝１２２ｂＢが形成されている。
【００４４】
伝達ギア１２０、ギア部１２２にはそれぞれ、指標１２０ａ、１２２ｅが刻印されている。図２（ａ）に示されるように、伝達ギア１２０とギア部１２２とを指標同士が合う位置に向けたとき、伝達ギア１２０に最も近接する位置に切り欠き１２２ｃＡが位置する。このとき、伝達ギア１２０の投影とギア部１２２の投影とが重ならない。そのため、ギア部１２２は、仕切壁１２２ｃと伝達ギア１２０とが機械的に干渉することなく、軸部１２２ｄが軸受１０８ａに差し込まれ、仕切壁１２２ｃが伝達ギア１２０を乗り越える位置まで組み付けられる。これにより、図６（ｂ）に示されるように、クリック溝円柱１２２ｂがダイヤルクリック板バネ１１２の設置スペース下方に配置されると共に連結ギア１２２ａが伝達ギア１２０と噛み合う。
【００４５】
指標１２０ａと指標１２２ｅとが合う位置に伝達ギア１２０が回転されると、調節レンズ１２８は、対物レンズ１２６と近接する所定位置に移動する。このときのファインダ光学系の視度を一定値、例えばプラス端（＋１．８Ｄｐｔｒ）となるように設計することで、ファインダ光学系の視度値及び伝達ギヤ１２０と連結ギヤ１２２ａとの相対的な回転位置が製品の個体毎にばらつくことなく所定の１つの関係に決まる。
【００４６】
図７（ａ）〜図７（ｆ）は、ファインダ装置１０の組み付けを説明するための図である。図７（ａ）〜図７（ｆ）の各図においては、撮影装置１の背面図及び斜視図を用いて各工程を示す。
【００４７】
ファインダ装置１０は、カメラ本体部１ａに取り付けられる。この時点のファインダ装置１０は、図２に示される構成に接眼レンズ枠１０６を取り付けたものであり、視度調節ダイヤル１０２を備えない未完成品である。次に、カメラ本体部１ａに上カバー１ｂが嵌め込まれて、ねじ止め等により固定される。これにより、ファインダ装置１０は、カメラ本体部１ａと上カバー１ｂとが規定するスペース内に組み込まれる。
【００４８】
図７（ａ）に示されるように、上カバー１ｂにはダイヤル用開口部１ｂＡが空けられている。ダイヤル用開口部１ｂＡは、視度調節ダイヤル１０２が嵌め込まれる穴部である。ファインダ装置１０は、カメラ本体部１ａと上カバー１ｂとが規定するスペース内に、ギア部１２２（連結ギア１２２ａ）がダイヤル用開口部１ｂＡから見える位置で固定される。なお、ダイヤル用開口部１ｂＡは穴形状に限らず、例えば切り欠き等の別の形状であってもよい。
【００４９】
ギア部１２２は、ダイヤルクリック板バネ１１２によりクリック溝１２２ｂＢに軽負荷が掛けられた状態で軸部１２２ｄが軸受１０８ａに差し込まれているだけであるため、スラスト方向に若干量移動可能である。ギア部１２２は、上カバー１ｂをカメラ本体部１ａに嵌め込む際、上カバー１ｂからスラスト方向に離れた位置に移動させておくことが望ましい。ギア部１２２を上カバー１ｂからスラスト方向に離れた位置に移動させておくことで、ギア部１２２と上カバー１ｂとのクリアランスがより多く確保される。これにより、組立時におけるギア部１２２と上カバー１ｂとの機械的干渉が避けやすくなり、上カバー１ｂをカメラ本体部１ａにスムーズに嵌め込むことができる。
【００５０】
カメラ本体部１ａに上カバー１ｂが嵌め込まれて固定されたとき、製造誤差や組立誤差のため、カメラ本体部１ａに取り付けられたギア部１２２と、上カバー１ｂに空けられたダイヤル用開口部１ｂＡとが必ずしも同軸に位置しない。ギア部１２２とダイヤル用開口部１ｂＡとが軸ずれした状態では視度調節ダイヤル１０２をダイヤル用開口部１ｂＡに嵌めてギア部１２２に連結させることが難しい。ギア部１２２とダイヤル用開口部１ｂＡとの軸ずれを抑えるためには、カメラ本体部１ａに対して上カバー１ｂを高精度に取り付ける必要がある。しかし、カメラ本体部１ａ及び上カバー１ｂのような大型なパーツ同士を高精度に取り付けるのは製造上容易ではない。
【００５１】
本実施形態では、上記の問題を解消するため、棒状治具２００が用いられる。図８（ａ）は、棒状治具２００の正面図を示し、図８（ｂ）及び図８（ｃ）は、棒状治具２００の斜視図を示す。図８に示されるように、棒状治具２００は、円柱本体部２００ａを備えている。円柱本体部２００ａの先端面には、凸状のギア係合キー２００ｂが形成されている。ギア係合キー２００ｂの先端面には、先端円柱部２００ｃが形成されている。円柱本体部２００ａの側面には、円柱本体部２００ａの一端から他端に亘り、凸状の軸受係合キー２００ｄが形成されている。
【００５２】
図５に示されるように、ギア部１２２の中心には、連結ギア１２２ａ及びクリック溝円柱１２２ｂを貫通する深穴１２２ｆが形成されている。また、深穴１２２ｆの周辺であって連結ギア１２２ａの中央部分には、先端係合キー溝１２２ｇが形成されている。
【００５３】
図７（ｂ）に示されるように、棒状治具２００は、ダイヤル用開口部１ｂＡに挿入される。ダイヤル用開口部１ｂＡに挿入された棒状治具２００は、ギア係合キー２００ｂ、先端円柱部２００ｃのそれぞれが、先端係合キー溝１２２ｇ、深穴１２２ｆに係合されるので、棒状冶具２００と連結ギヤ１２２ａとの相対的な回転位置が製品の個体毎にばらつくことなく所定の１つの関係に決まる。言い換えれば、棒状治具２００は、ギア部１２２が所定の回転位置（指標１２０ａと指標１２２ｅとが合う位置）にセットされていれば、常に一定の向きで係合する。
【００５４】
図７（ｃ）に示されるように、ギア部１２２に係合された棒状治具２００を所定の回転位置にした状態で棒状治具２００に軸受ストッパ部１３０が貫装される。図９（ａ）は、軸受ストッパ部１３０単体の背面図を示し、図９（ｂ）及び図９（ｃ）は、軸受ストッパ部１３０単体の斜視図を示す。図９に示されるように、軸受ストッパ部１３０は、円環体１３０ａを備えている。円環体１３０ａの中心穴１３０ａＣは、一部が切り欠かれている。中心穴１３０ａＣの切り欠きは、側面係合キー溝１３０ｂをなす。円環体１３０ａの背面１３０ａＡには凸状のストッパ１３０ｃが形成されている。円環体１３０ａの前面１３０ａＢには、円環体１３０ａより前方に突出する差し込みリブ１３０ｄが形成されている。側面係合キー溝１３０ｂは、円環体１３０ａから差し込みリブ１３０ｄまで延びている。具体的には、図９（ｃ）に示されるように、差し込みリブ１３０ｄは、一部の側面が切り欠かれている。差し込みリブ１３０ｄの側面の切り欠きが側面係合キー溝１３０ｂをなす。
【００５５】
軸受ストッパ部１３０は、中心穴１３０ａＣ、側面係合キー溝１３０ｂがそれぞれ、円柱本体部２００ａ、軸受係合キー２００ｄと係合された状態で棒状治具２００に挿入される。棒状治具２００に挿入された軸受ストッパ部１３０は、差し込みリブ１３０ｄがダイヤル用開口部１ｂＡに差し込まれ且つ前面１３０ａＢがダイヤル用開口部１ｂＡ周辺に設けられた取り付けしろ１ｂＢと接触する位置まで通される。前面１３０ａＢには、予め両面テープが貼付され又は接着剤が塗布されている。そのため、軸受ストッパ部１３０は、前面１３０ａＢが取り付けしろ（軸受ストッパ部１３０が接着される領域であり、接着しろ）１ｂＢに接着されることにより、上カバー１ｂに固定される。これによって、ファインダ光学系の視度値と凸状のストッパ１３０ｃとの回転位置が製品の個体毎にばらつくことなく所定の１つの関係に決まる。なお、本実施形態では、軸受ストッパ部１３０を上カバー１ｂに接着固定させやすくする便宜上、周辺形状に対して一段落とし込まれた凹部の底面が取り付けしろ１ｂＢとなっている。
【００５６】
ここで、上カバー１ｂが製造誤差等によりカメラ本体部１ａに対してずれて固定されたとき、上述したように、ギア部１２２とダイヤル用開口部１ｂＡとが同軸に位置しない。この場合、ギア部１２２に係合された棒状治具２００は、ダイヤル用開口部１ｂＡに対して偏心した位置に配置される。そのため、棒状治具２００に挿入され通された軸受ストッパ部１３０がダイヤル用開口部１ｂＡの周縁部と機械的に干渉し、取り付けしろ１ｂＢに取り付けられないという問題が懸念される。
【００５７】
そこで、ダイヤル用開口部１ｂＡ、取り付けしろ１ｂＢはそれぞれ、ギア部１２２とダイヤル用開口部１ｂＡとの軸ずれを吸収できるように、差し込みリブ１３０ｄ、円環体１３０ａよりも径が大きい。そのため、棒状治具２００がダイヤル用開口部１ｂＡに対して偏心する場合も、差し込みリブ１３０ｄは、ダイヤル用開口部１ｂＡに差し込まれ、円環体１３０ａの前面１３０ａＢは、取り付けしろ１ｂＢ内に接着される。
【００５８】
図７（ｄ）に示されるように、棒状治具２００は、ギア部１２２及び軸受ストッパ部１３０から取り外される。ギア部１２２と軸受ストッパ部１３０は、ギア部１２２とダイヤル用開口部１ｂＡとの軸ずれがダイヤル用開口部１ｂＡと差し込みリブ１３０ｄとの径の差（及び円環体１３０ａと取り付けしろ１ｂＢとの径の差）内で吸収されるため、互いが同軸となる位置に固定されている。
【００５９】
なお、棒状治具２００が取り外された後も、ギア部１２２と軸受ストッパ部１３０との向きは、ギア部１２０が回転されない限り一定の関係に保たれる。
【００６０】
図９に示されるように、円環体１３０ａの背面１３０ａＡには円環リブ１３０ｅが形成されている。図７（ｅ）に示されるように、円環リブ１３０ｅには、防塵・防滴のためのＯリング１３２が係合される。
【００６１】
図１０は、視度調節ダイヤル１０２単体の斜視図を示す。図１０に示されるように、視度調節ダイヤル１０２は、ダイヤル本体１０２ａ及び支軸１０２ｂを備えている。支軸１０２ｂの先端には連結キー１０２ｃが形成されている。支軸１０２ｂの根元には突起部１０２ｄが形成されている。
【００６２】
視度調節ダイヤル１０２は、棒状治具２００が取り外された後、支軸１０２ｂが軸受ストッパ部１３０の中心穴１３０ａＣに差し込まれる。視度調節ダイヤル１０２が更に差し込まれると、連結キー１０２ｃがギア部１２２の先端係合キー溝１２２ｇと係合する。連結キー１０２ｃと先端係合キー溝１２２ｇとが係合された状態で視度調節ダイヤル１０２が止めねじ１３４によってねじ止めされることにより、視度調節ダイヤル１０２とギア部１２２とが連結する。ギア部１２２は、ねじ止めによって上カバー１ｂの内壁面側に引き込まれることによりスラスト方向への移動が規制され、位置が安定する。
【００６３】
なお、連結キー１０２ｃと先端係合キー溝１２２ｇは、互いの向きが一定の関係にあるときのみ係合する。すなわち、視度調節ダイヤル１０２は、ギア部１２２（及びギア部１２２に対して一定の向きに配置された軸受ストッパ部１３０）に対して常に一定の向きで係合する。
【００６４】
調節レンズ１２８は、視度調節ダイヤル１０２と連動するため、視度調節ダイヤル１０２の回転可能な角度範囲を規制しなければ、接眼レンズ１０４や対物レンズ１１６と衝突する虞がある。そこで、本実施形態では、連結キー１０２ｃと先端係合キー溝１２２ｇとが係合されたとき、視度調節ダイヤル１０２の回転操作時における突起部１０２ｄの回転軌跡と、軸受ストッパ部１３０のストッパ１３０ｃの位置とが干渉する構成となっている。そのため、視度調節ダイヤル１０２が回転操作されると、ある角度位置において突起部１０２ｄとストッパ１３０ｃとが当て付く。これにより、視度調節ダイヤル１０２の回転可能な角度範囲が規制される。上述したように、ファインダの視度値と凸状のストッパ１３０ｃとの回転位置が製品の個体毎にばらつくことなく所定の１つの関係に決まるため、視度調節ダイヤル１０２を回転可能な角度範囲の一端から他端に回転させることで、ファインダ光学系の視度値を調節可能な視度範囲内で正確に変化させることが可能となる。
【００６５】
本実施形態において、視度調節ダイヤル１０２の回転可能な角度範囲は３００°である。ギア部１２２は、視度調節ダイヤル１０２と連結するため、同じく３００°の範囲内で回転可能である。クリック溝１２２ｂＢは、少なくとも３００°の範囲に亘り形成されており、ギア部１２２の回転に拘わらずダイヤルクリック板バネ１１２によって常時付勢される。仕切壁１２２ｃは、ダイヤルクリック板バネ１１２による連結ギア１２２ａ側への機械的干渉を避けるため、クリック溝１２２ｂＢと同じ角度範囲に形成されている。
【００６６】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００６７】
本実施形態では、円柱部１２２ｂＡの直径が連結ギア１２２ａの歯底円直径と同一のサイズに設計されているが、別の実施形態では、より多くのクリック溝１２２ｂＢを形成するため、円柱部１２２ｂＡの直径が連結ギア１２２ａの歯底円直径より大きく設計されてもよい。
【符号の説明】
【００６８】
１  撮影装置
１ａ  カメラ本体部
１ｂ  上カバー
１ｂＡ  ダイヤル用開口部
１ｂＢ  取り付けしろ
１０  ファインダ装置
１０２  視度調節ダイヤル
１０２ａ  ダイヤル本体
１０２ｂ  支軸
１０２ｃ  連結キー
１０２ｄ  突起部
１０４  接眼レンズ
１０６  接眼レンズ枠
１０８  ケース
１０８ａ  軸受
１１０  上板
１１２  ダイヤルクリック板バネ
１１４  止めねじ
１１６  対物レンズ
１１８  円筒リブカム
１２０  伝達ギア
１２０ａ  指標
１２２  ギア部
１２２ａ  連結ギア
１２２ｂ  クリック溝円柱
１２２ｂＡ  円柱部
１２２ｂＢ  クリック溝
１２２ｃ  壁部
１２２ｃＡ  切り欠き
１２２ｄ  軸部
１２２ｅ  指標
１２２ｆ  深穴
１２２ｇ  先端係合キー溝
１２４  レンズガイド軸
１２６  レンズ付勢バネ
１２８  調節レンズ
１２８ａ  ガイド部
１２８ａＡ  ガイド穴
１２８ａＢ  カムフォロア
１３０  軸受ストッパ部
１３０ａ  円環体
１３０ａＡ  （円環体１３０ａの）背面
１３０ａＢ  （円環体１３０ａの）前面
１３０ａＣ  （円環体１３０ａの）中心穴
１３０ｂ  側面係合キー溝
１３０ｃ  ストッパ
１３０ｄ  差し込みリブ
１３０ｅ  円環リブ
１３２  Ｏリング
１３４  止めねじ
２００  棒状治具
２００ａ  円柱本体部
２００ｂ  ギア係合キー
２００ｃ  先端円柱部
２００ｄ  軸受係合キー
【図１】
2015072292.tif 000003
【図２】
2015072292.tif 000004
【図３】
2015072292.tif 000005
【図４】
2015072292.tif 000006
【図５】
2015072292.tif 000007
【図６】
2015072292.tif 000008
【図７】
2015072292.tif 000009
【図８】
2015072292.tif 000010
【図９】
2015072292.tif 000011
【図１０】
2015072292.tif 000012